(57)【要約】      （修正有）【課題】コネクタ部における第１コンタクトと相手側第１コンタクトによる電気伝送の他に、ガイドポスト用凹部及びガイドポストのところで信号伝送を含む電気伝送を行うことができるコネクタ及びコネクタ組立体を提供する。【解決手段】コネクタ１０は、相手側第１コンタクトが接触する複数の第１コンタクトが取り付けられたハウジング１２を有し、相手コネクタ側の相手コネクタ部が嵌合するコネクタ部１１と、コネクタ部１１の両外側に配置された、相手コネクタ側のガイドポストを受容する一対のガイドポスト用凹部１４とを備える。一対のガイドポスト用凹部１４の少なくとも一方には、相手コネクタ側の相手側第２コンタクトが接触する複数の第２コンタクト２１が配置されている。【選択図】図３
2018006175.tif 000002
【特許請求の範囲】
【請求項１】
相手側第１コンタクトが接触する複数の第１コンタクトが取り付けられたハウジングを有し、相手コネクタ側の相手コネクタ部が嵌合するコネクタ部と、該コネクタ部の両外側に配置された、相手コネクタ側のガイドポストを受容する一対のガイドポスト用凹部とを備え、
該一対のガイドポスト用凹部の少なくとも一方には、相手コネクタ側の相手側第２コンタクトが接触する複数の第２コンタクトが配置されていることを特徴とするコネクタ。
【請求項２】
前記複数の第１コンタクトは、信号用コンタクト、電源用コンタクト及びＧＮＤ用コンタクトとを備えることを特徴とする請求項１に記載のコネクタ。
【請求項３】
前記コネクタ部には、前記複数の第１コンタクトに接触するＵＳＢ側コンタクトを備えたＵＳＢコネクタが嵌合可能となっていることを特徴とする請求項１又は２に記載のコネクタ。
【請求項４】
前記一対のガイドポスト用凹部の少なくとも一方には前記第２コンタクトのみが配置されていることを特徴とする請求項１乃至３のうちいずれか一項に記載のコネクタ。
【請求項５】
前記第２コンタクトが配置された前記一対のガイドポスト用凹部の少なくとも一方には、前記第２コンタクトに接触するイーサネット側コンタクトを備えたイーサネットコネクタが嵌合可能となっていることを特徴とする請求項１乃至４のうちいずれか一項に記載のコネクタ。
【請求項６】
コネクタと該コネクタに嵌合する相手コネクタとからなり、
前記コネクタは、複数の第１コンタクトが取り付けられたハウジングを有するコネクタ部と、該コネクタ部の両外側に配置された一対のガイドポスト用凹部とを備え、
前記相手コネクタは、前記複数の第１コンタクトに接触する複数の相手側第１コンタクトが取り付けられた相手ハウジングを有し、前記コネクタ部に嵌合する相手コネクタ部と、該相手コネクタ部の両外側に配置され、前記一対のガイドポスト用凹部に挿入される一対のガイドポストとを備え、
前記一対のガイドポスト用凹部の少なくとも一方には、複数の第２コンタクトが配置されると共に、前記一対のガイドポストの少なくとも一方には、前記第２コンタクトに接触する複数の相手側第２コンタクトが配置されていることを特徴とするコネクタ組立体。
【発明の詳細な説明】
【技術分野】
【０００１】
本発明は、パーソナルコンピュータ等の電子機器と、拡張ユニットとを相互に接続するために好適なコネクタ及びコネクタ組立体に関する。
【背景技術】
【０００２】
パーソナルコンピュータ等の電子機器に設けられたコネクタと、拡張ユニットに設けられた相手コネクタとを嵌合することにより、電子機器と拡張ユニットとを相互することが一般的に行われる。ここで、電子機器側に設けられたコネクタと拡張ユニット側に設けられた相手コネクタとを併せて一般にドッキングコネクタと呼ばれている。
このドッキングコネクタは、電子機器側に設けられたコネクタに拡張ユニット側に設けられた相手コネクタを嵌合させるものである。そして、電子機器側のコネクタは、複数のコンタクトが取り付けられたハウジングを有するコネクタ部と、このコネクタ部の両側に配置された一対のガイドポスト用凹部とを有するのが一般的である。また、相手コネクタは、前記コンタクトに接触する複数の相手コンタクトが取り付けられた相手ハウジングと、相手ハウジングの両側に設けられ、前記一対のガイドポスト用凹部に受容される一対のガイドポストとを有する。
【０００３】
従来のこの種のドッキングコネクタに適用可能なコネクタとして、例えば、特許文献１に示すものが知られている。
特許文献１に示すコネクタは、複数のプラグを絶縁体に取り付けるとともに、その絶縁体のプラグの両側の位置に設けられた一対のガイドピンを有する雄側コネクタを備えている。また、このコネクタは、各プラグを受容する複数のジャックを絶縁体に取り付けるとともに、その絶縁体のジャックの両側の位置に設けられた、一対のガイドピンを受容する一対の受容端子を有する雌側コネクタを備えている。
【０００４】
そして、一対のガイドピンの一方と一対の受容端子の一方とにより電源の接続が行われ、ガイドピンの他方と受容端子の他方とによりＧＮＤの接続を行うようになっている。
【先行技術文献】
【特許文献】
【０００５】
【特許文献１】実開平５−７３８７７号公報
【発明の概要】
【発明が解決しようとする課題】
【０００６】
ところで、ドッキングコネクタにおいては、近年になって、コネクタ部におけるコンタクトと相手コンタクトによる電気伝送の他に、ガイドポスト用凹部及びガイドポストのところで信号伝送や信号及び電力の伝送を行いたいという要請がある。
しかしながら、特許文献１に示すコネクタにあっては、一対のガイドピンの一方と一対の受容端子の一方とにより電源の接続を行い、ガイドピンの他方と受容端子の他方とによりＧＮＤの接続を行っている。このため、それらガイドピンと受容端子とにより信号伝送を含む電気伝送を行うことができなかった。
【０００７】
従って、本発明はこの従来の問題点を解決するためになされたものであり、その目的は、コネクタ部における第１コンタクトと相手側第１コンタクトによる電気伝送の他に、ガイドポスト用凹部及びガイドポストのところで信号伝送を含む電気伝送を行うことができるコネクタ及びコネクタ組立体を提供することにある。
【課題を解決するための手段】
【０００８】
上記目的を達成するために、本発明の一態様に係るコネクタは、相手側第１コンタクトが接触する複数の第１コンタクトが取り付けられたハウジングを有するコネクタ部と、該コネクタ部の両外側に配置された、相手コネクタ側のガイドポストを受容する一対のガイドポスト用凹部とを備え、一対のガイドポスト用凹部の少なくとも一方には、相手側第２コンタクトが接触する複数の第２コンタクトが配置されていることを要旨とする。
【０００９】
また、本発明の別の態様に係るコネクタ組立体は、コネクタと該コネクタに嵌合する相手コネクタとからなり、前記コネクタは、複数の第１コンタクトが取り付けられたハウジングを有するコネクタ部と、該コネクタ部の両外側に配置された一対のガイドポスト用凹部とを備え、前記相手コネクタは、前記複数の第１コンタクトに接触する複数の相手側第１コンタクトが取り付けられた相手ハウジングを有する相手コネクタ部と、該相手コネクタ部の両外側に配置され、前記一対のガイドポスト用凹部に受容される一対のガイドポストとを備え、前記一対のガイドポスト用凹部の少なくとも一方には、複数の第２コンタクトが配置されると共に、前記一対のガイドポストの少なくとも一方には、前記第２コンタクトに接触する複数の相手側第２コンタクトが配置されていることを要旨とする。
【発明の効果】
【００１０】
本発明に係るコネクタ及びコネクタ組立体によれば、コネクタ部における第１コンタクトと相手側第１コンタクトによる電気伝送の他に、ガイドポスト用凹部の複数の第２コンタクトとガイドポストの複数の相手側第２コンタクトとによる電気伝送を行うことができる。
【図面の簡単な説明】
【００１１】
【図１】本発明の第１実施形態に係るコネクタ組立体をコネクタと相手コネクタとに分離して示す図である。
【図２】図１に示すコネクタの平面図である。
【図３】図１に示すコネクタの正面図である。
【図４】図１に示すコネクタの右側面図である。
【図５】図３における５−５線に沿う断面図である。
【図６】図３における６−６線に沿う断面図である。
【図７】配列されたコンタクトの種類を説明するための図である。
【図８】図１に示す相手コネクタの平面図である。
【図９】図１に示す相手コネクタの正面図である。
【図１０】図１に示す相手コネクタの右側面図である。
【図１１】図９における１１−１１線に沿う断面図である。
【図１２】図９における１２−１２線に沿う断面図である。
【図１３】本発明の第２実施形態に係るコネクタ組立体をコネクタと相手コネクタとに分離して示す図である。
【図１４】図１３に示すコネクタの平面図である。
【図１５】図１３に示すコネクタの正面図である。
【図１６】図１３に示すコネクタの右側面図である。
【図１７】図１５における１７−１７線に沿う断面図である。
【図１８】図１５における１８−１８線に沿う断面図である。
【図１９】図１３に示す相手コネクタの平面図である。
【図２０】図１３に示す相手コネクタの正面図である。
【図２１】図１３に示す相手コネクタの右側面図である。
【図２２】図２０における２２−２２線に沿う断面図である。
【図２３】図２０における２３−２３線に沿う断面図である。
【発明を実施するための形態】
【００１２】
以下、本発明の実施の形態を図面を参照して説明する。
（第１実施形態）
本発明の第１実施形態に係るコネクタ及びコネクタ組立体について図１乃至図６を参照して説明する。
図１には、本発明の第１実施形態に係るコネクタ組立体１が示されており、このコネクタ組立体１は、コネクタ１０と、コネクタ１０に嵌合する相手コネクタ５０とからなる。コネクタ１０は、パーソナルコンピュータ等の電子機器に搭載される。一方、相手コネクタ５０は、拡張ユニットに搭載される。
【００１３】
ここで、コネクタ１０は、図３に示すように、コネクタ部１１と、一対のガイドポスト用凹部１４とを備えている。
コネクタ部１１は、図３及び図５に示すように、ハウジング１２と、ハウジング１２に取り付けられる複数の第１コンタクト２０とを備えている。
ハウジング１２は、図２乃至図６に示すように、上下方向、左右方向及び前後方向に延びる略矩形状の第１ハウジング部１２ａと、第１ハウジング部１２ａの左右方向中央部に取り付けられる第２ハウジング部１２ｂとを備えている。図２には、下方向が「前」、上方向が「後」、左方向が「左」、右方向が「右」として示されている。図３には、上方向が「上」、下方向が「下」として示されている。以下、左方向及び右方向を左右方向、前方向及び後方向を前後方向、上方向及び下方向を上下方向と総称して説明する。
【００１４】
第１ハウジング部１２ａは、絶縁性の合成樹脂を成形することによって形成され、図３及び図５に示すように、左右方向に延びるとともに前後方向に貫通する貫通孔１３を有する。
また、第２ハウジング部１２ｂは、図３及び図５に示すように、第１ハウジング部１２ａの貫通孔１３の左右方向中央部に取り付けられる。第２ハウジング部１２ｂには、図３及び図５に示すように、貫通孔１３に入り込む略矩形状平板部から前方向に突出する嵌合板部１２ｃが設けられている。嵌合板部１２ｃは、左右方向に細長く延びる平板状に形成されている。第２ハウジング部１２ｂは、絶縁性の合成樹脂を成形することによって形成される。
【００１５】
また、複数の第１コンタクト２０は、図５に示すように、嵌合板部１２ｃの上面に１列状に取り付けられるとともに、嵌合板部１２ｃの下面にも１列状に取り付けられる。図５には、嵌合板部１２ｃの上面及び下面にそれぞれ１つずつの第１コンタクト２０が示されている。
そして、配列された第１コンタクト２０の極数及び種類について、図７を参照して説明する。嵌合板部１２ｃの上面に取り付けられた複数の第１コンタクト２０は、１２極で構成され、最も外側２つの第１コンタクト２０がＧＮＤ用コンタクト２０Ｇ、最も外側から４番目の第１コンタクト２０が電源用コンタクト２０Ｐ、残りの第１コンタクト２０が信号用コンタクト２０Ｓとなっている。また、嵌合板部１２ｃの下面に取り付けられた複数の第１コンタクト２０も、１２極で構成され、最も外側２つの第１コンタクト２０がＧＮＤ用コンタクト２０Ｇ、最も外側から４番目の第１コンタクト２０が電源用コンタクト２０Ｐ、残りの第１コンタクト２０が信号用コンタクト２０Ｓとなっている。
【００１６】
ここで、嵌合板部１２ｃの上面に取り付けられた各第１コンタクト２０は、図５に示すように、第２ハウジング部１２ｂに固定される固定部２０ａと、固定部２０ａから前方に延び、嵌合板部１２ｃの上面に配列される接触部２０ｂとを備える。また、当該各第１コンタクト２０は、固定部２０ａから後方に延び、回路基板（図示せず）に接続される基板接続部２０ｃを備えている。また、嵌合板部１２ｃの下面に取り付けられた各第１コンタクト２０も、第２ハウジング部１２ｂに固定される固定部２０ａ（図示せず）と、固定部２０ａから前方に延び、嵌合板部１２ｃの下面に配列される接触部２０ｂとを備えている。また、当該各第１コンタクト２０は、固定部２０ａから後方に延び、回路基板（図示せず）に接続される基板接続部２０ｃを備えている。そして、上側及び下側の各第１コンタクト２０は、導電性金属板を打抜き及び曲げ加工することによって形成される。各第１コンタクト２０の接触部２０ｂには、相手コネクタ５０の後述する相手側第１コンタクト６０の接触部６０ｂが接触する。
【００１７】
また、図５に示すように、複数の第１コンタクト２０を取り付けた第２ハウジング部１２ｂの周囲を覆う金属製の第１シェル１５が、第１ハウジング部１２ａに固定される。この第１シェル１５は、第１ハウジング部１２ａの貫通孔１３に沿って第１ハウジング部１２ａの後面から前面まで延びている。第１シェル１５内に、相手コネクタ５０の後述する嵌合部（シェル５３）が前方から入り込み、第１シェル１５はシェル５３の周囲に接触する。
【００１８】
また、第１ハウジング部１２ａには、金属製の第２シェル３０が取り付けられる。この第２シェル３０は、図２乃至図６に示すように、第１ハウジング部１２ａの上面を覆う頂板部３０ａと、頂板部３０ａの前縁から下方に折り曲げられ、第１ハウジング部１２ａの前面を覆う前板部３０ｂとを備えている。また、第２シェル３０は、頂板部３０ａの左右側縁から下方に折り曲げられる一対の側板部３０ｃと、頂板部３０ａの後縁から下方に折り曲げられる後板部３０ｄとを備えている。
第２シェル３０の前板部３０ｂには、図３に示すように、相手コネクタ挿入用開口３０ｅが形成されている。この相手コネクタ挿入用開口３０ｅは、図３に示すように、第１シェル１５と対応する位置に形成されて、相手コネクタ５０の後述するシェル５３が挿通可能となっている。
【００１９】
第２シェル３０の各側板部３０ｃには、回路基板（図示せず）に固定される複数の基板固定部３１が設けられている。各基板固定部３１が回路基板に固定されて接地がなされる。
次に、一対のガイドポスト用凹部１４は、コネクタ部１１の両外側に配置される。具体的に述べると、一対のガイドポスト用凹部１４は、図３に示すように、第１ハウジング部１２ａの、複数の第１コンタクト２０が取り付けられた嵌合板部１２ｃに対して左右方向両外側の位置に形成される。各ガイドポスト用凹部１４は、第１ハウジング部１２ａの前面から後方に向けて凹むように形成される。各ガイドポスト用凹部１４は、断面形状が略四角形状に形成されている。これら一対のガイドポスト用凹部１４には、相手コネクタ５０とコネクタ１０とを嵌合する際に、相手コネクタ５０の後述する一対のガイドポスト５５が受容され、一対のガイドポスト５５と協働して両コネクタ１０、５０を案内する。そして、第２シェル３０の前板部３０ｂには、これら一対のガイドポスト用凹部１４に対応する位置に、一対のガイドポスト挿入用開口３０ｆが形成されている。
【００２０】
ここで、一対のガイドポスト用凹部１４の双方には、相手コネクタ５０の後述する相手側第２コンタクト６１が接触する複数の第２コンタクト２１が配置されている。一方のガイドポスト用凹部１４には、図３及び図６に示すように、ガイドポスト用凹部１４の上面に沿って６極の第２コンタクト２１のみが配置される。また、他方のガイドポスト用凹部１４にも、ガイドポスト用凹部１４の上面に沿って６極の第２コンタクト２１のみが配置される。
【００２１】
各第２コンタクト２１は、図６に示すように、第１ハウジング部１２ａのコンタクト用貫通孔１２ｄに圧入固定される固定部２１ａと、固定部２１ａから前方にガイドポスト用凹部１４の上面にほぼ沿って延びる接触部２１ｂとを備えている。また、各第２コンタクト２１は、固定部２１ａから後方に一旦延び、垂直下方に延びる基板接続部２１ｃを備えている。各第２コンタクト２１は、導電性金属板を打抜き及び曲げ加工することによって形成される。各第２コンタクト２１の接触部２１ｂには、相手コネクタ５０の後述する相手側第２コンタクト６１の接触部６１ｂが接触する。また、各第２コンタクト２１の基板接続部２１ｃは、図示しない回路基板に接続される。
【００２２】
一方、コネクタ１０に嵌合する相手コネクタ５０は、図８、図９及び図１１に示すように、コネクタ部１１に嵌合する相手コネクタ部５１と、一対のガイドポスト５５とを備えている。
相手コネクタ部５１は、図９及び図１１に示すように、相手ハウジング５２と、相手ハウジング５２に取り付けられる複数の相手側第１コンタクト６０とを備えている。
【００２３】
相手ハウジング５２は、図８乃至図１２に示すように、上下方向、左右方向及び前後方向に延びる略矩形状の第１相手ハウジング部５２ａと、第１相手ハウジング部５２ａの左右方向中央部に取り付けられる第２相手ハウジング部５２ｂとを備えている。図８には、下方向が「前」、上方向が「後」、左方向が「左」、右方向が「右」として示されている。図９には、上方向が「上」、下方向が「下」として示されている。以下、左方向及び右方向を左右方向、前方向及び後方向を前後方向、上方向及び下方向を上下方向と総称して説明する。
【００２４】
第１相手ハウジング部５２ａは、絶縁性の合成樹脂を成形することによって形成され、図１１に示すように、左右方向中央部に前後方向に貫通する矩形状の貫通孔５２ｃを有する。
また、第２相手ハウジング部５２ｂは、図９及び図１１に示すように、左右方向に長いほぼ矩形状に形成され、第１相手ハウジング部５２ａの貫通孔５２ｃに第１相手ハウジング部５２ａの前面から突出するように取り付けられる。第２相手ハウジング部５２ｂは、絶縁性の合成樹脂を成形することによって形成される。
【００２５】
また、複数の相手側第１コンタクト６０は、図９及び図１１に示すように、第２相手ハウジング部５２ｂの上部に１列状に取り付けられるとともに、第２相手ハウジング部５２ｂの下部にも１列状に取り付けられる。なお、第２相手ハウジング部５２ｂの上部及び下部のそれぞれには、コネクタ１０側に設けられた接地用シェル１６に接触する複数の接地用コンタクト６２も固定されている。これら接地用コンタクト６２は、第１相手ハウジング部５２ａの前面から突出するように第２相手ハウジング部５２ｂに取り付けられる。
【００２６】
そして、第２相手ハウジング部５２ｂの上部に取り付けられた複数の相手側第１コンタクト６０は、１０極で構成され、最も外側２つの相手側第１コンタクト６０がＧＮＤ用コンタクトである。また、最も外側から４番目の相手側第１コンタクト６０が電源用コンタクト、残りの相手側第１コンタクト６０が信号用コンタクトとなっている。また、第２相手ハウジング部５２ｂの下部に取り付けられた複数の相手側第１コンタクト６０は、１２極で構成され、最も外側２つの相手側第１コンタクト６０がＧＮＤ用コンタクトである。また、最も外側から４番目の相手側第１コンタクト６０が電源用コンタクト、残りの相手側第１コンタクト６０が信号用コンタクトとなっている。
【００２７】
ここで、上側及び下側の各相手側第１コンタクト６０は、図１１に示すように、第２相手ハウジング部５２ｂに固定される固定部６０ａと、固定部６０ａから前方に延び、第１相手ハウジング部５２ａの前面から突出する接触部６０ｂとを備えている。また、上側及び下側の各相手側第１コンタクト６０は、固定部６０ａから後方に延び、回路基板（図示せず）に接続される基板接続部６０ｃを備えている。上側及び下側の各相手側第１コンタクト６０は、導電性金属板を打抜き及び曲げ加工することによって形成される。相手コネクタ部５１がコネクタ部１１に嵌合する際に、上側の各相手側第１コンタクト６０の接触部６０ｂには、コネクタ部１１の上側の第１コンタクト２０の接触部２０ｂが接触する。下側の各相手側第１コンタクト６０の接触部６０ｂには、コネクタ１０の下側の第１コンタクト２０の接触部２０ｂが接触する。
【００２８】
また、図１１に示すように、第１相手ハウジング部５２ａの前面から突出する第２相手ハウジング部５２ｂ、接地用コンタクト６２及び相手側第１コンタクト６０の周囲を覆う金属製のシェル５３が第１相手ハウジング部５２ａに固定される。このシェル５３は、第１相手ハウジング部５２ａの貫通孔５２ｃに沿って第１相手ハウジング部５２ａの前面から突出するよう形成され、内部に前方が開口した嵌合板部受容凹部５４が形成される。相手コネクタ部５１がコネクタ部１１に嵌合する際に、シェル５３は、コネクタ部１１の第１シェル１５内に前方（図５における左方）から入り込み、コネクタ部１１との嵌合部を構成する。
【００２９】
次に、一対のガイドポスト５５は、相手コネクタ部５１の両外側に配置される。具体的に述べると、一対のガイドポスト５５は、図８及び図９に示すように、第１相手ハウジング部５２ａの、複数の相手側第１コンタクト６０が取り付けられた第２相手ハウジング部５２ｂに対して左右方向両外側の位置に配置される。各ガイドポスト５５は、第１相手ハウジング部５２ａの前面から前方に突出する、断面形状がガイドポスト用凹部１４の断面形状と相補的な形状を有する突出部材であり、相手コネクタ部５１より前後方向に長い。各ガイドポスト５５は、第１相手ハウジング部５２ａと一体に形成される。これら一対のガイドポスト５５は、相手コネクタ５０とコネクタ１０とを嵌合する際に、コネクタ１０の一対のガイドポスト用凹部１４内に沿うように受容され、一対のガイドポスト用凹部１４と協働して両コネクタ１０、５０を案内する。
【００３０】
ここで、一対のガイドポスト５５の双方には、コネクタ１０の第２コンタクト２１が接触する複数の相手側第２コンタクト６１が配置されている。一方のガイドポスト５５には、図８、図９及び図１２に示すように、ガイドポスト５５の上面に沿って６極の相手側第２コンタクト６１のみが配置される。また、他方のガイドポスト５５にも、ガイドポスト５５の上面に沿って６極の相手側第２コンタクト６１のみが配置される。
【００３１】
各相手側第２コンタクト６１は、図１２に示すように、第１相手ハウジング部５２ａのコンタクト用貫通孔５５ｂに圧入固定される固定部６１ａと、固定部６１ａから前方にガイドポスト５５の上面に沿って延びる接触部６１ｂとを備える。ガイドポスト５５の上面には、接触部６１ｂの下方への変位を許容する前後方向に延びる溝５５ａが形成されている。また、各相手側第２コンタクト６１は、固定部６１ａから後方に延びる基板接続部６１ｃを備えている。各相手側第２コンタクト６１は、導電性金属板を打抜き及び曲げ加工することによって形成される。各相手側第２コンタクト６１の接触部６１ｂには、コネクタ１０の第２コンタクト２１の接触部２１ｂが接触する。また、各相手側第２コンタクト６１の基板接続部６１ｃは、図示しない回路基板に接続される。
【００３２】
なお、コネクタ１０のコネクタ部１１には、相手コネクタ５０の相手コネクタ部５１のみならず、ＵＳＢコネクタ（図示せず）が単独で嵌合可能となっている。このＵＳＢコネクタは、相手コネクタ部５１の第２相手ハウジング部５２ｂと同形状のハウジング、相手側第１コンタクト６０と同一状の複数（２２極）のＵＳＢ側コンタクト、及びシェル５３と同一形状のシェルとを少なくとも備える。
【００３３】
また、第２コンタクト２１を備えたコネクタ１０の一対のガイドポスト用凹部１４の双方には、相手コネクタ５０の一対のガイドポスト５５のみならず、一対のイーサネット（登録商標）コネクタ（図示せず）がそれぞれ単独で嵌合可能となっている。各イーサネットコネクタは、それぞれ、ガイドポスト５５と同形状のハウジング、及び相手側第２コンタクト６１と同一形状の複数（それぞれ６極）のイーサネット側コンタクトを少なくとも備える。
【００３４】
次に、コネクタ１０及びコネクタ組立体１の作用、効果について説明する。
コネクタ１０に相手コネクタ５０を嵌合する際に、相手コネクタ５０側の一対のガイドポスト５５のそれぞれをガイドポスト用凹部１４内に挿入して案内しつつ相手コネクタ部５１をコネクタ部１１に嵌合する。
すると、相手コネクタ部５１の嵌合部となるシェル５３が、コネクタ部１１の第１シェル１５内に挿入され、シェル５３が第１シェル１５に接触する。このとき、シェル５３の嵌合板部受容凹部５４内にコネクタ部１１の嵌合板部１２ｃが挿入され、嵌合板部１２ｃが相手コネクタ部５１の上側及び下側の相手側第１コンタクト６０の接触部６０ｂ間に入り込む。これにより、嵌合板部１２ｃの上面及び下面に設けられた複数の第１コンタクト２０の接触部２０ｂのそれぞれが、相手コネクタ部５１の上側及び下側の相手側第１コンタクト６０の接触部６０ｂのそれぞれに接触する。これにより、コネクタ部１１における第１コンタクト２０と相手側第１コンタクト６０による信号や電力の伝送（電気伝送）が可能となる。
【００３５】
一方、相手コネクタ５０の一対のガイドポスト５５のそれぞれがコネクタ１０の一対のガイドポスト用凹部１４のそれぞれに挿入される。すると、各ガイドポスト５５に配置された相手側第２コンタクト６１の接触部６１ｂが、各ガイドポスト用凹部１４に配置された第２コンタクト２１の接触部２１ｂに接触する。これにより、ガイドポスト用凹部１４の第２コンタクト２１とガイドポスト５５の相手側第２コンタクト６１とによる電気伝送を行うことができる。
【００３６】
従って、本実施形態に係るコネクタ１０及びコネクタ組立体１によれば、コネクタ部１１における第１コンタクト２０と相手側第１コンタクト６０による電気伝送の他に、ガイドポスト用凹部１４の第２コンタクト２１とガイドポスト５５の相手側第１コンタクト６１とによる電気伝送を行うことができる。
また、コネクタ１０のコネクタ部１１には、複数の第１コンタクト２０に接触するＵＳＢ側コンタクトを備えたＵＳＢコネクタ（図示せず）が嵌合可能となっている。このため、コネクタ１０のコネクタ部１１に、相手コネクタ５０の相手コネクタ部５１とは別のＵＳＢコネクタを単独で嵌合することができる。
【００３７】
更に、第２コンタクト２１が配置された一対のガイドポスト用凹部１４の双方には、第２コンタクト２１に接触するイーサネット側コンタクトを備えたイーサネットコネクタ（図示せず）が嵌合可能となっている。このため、第２コンタクト２１が配置された一対のガイドポスト用凹部１４の一方又は双方に、相手コネクタ５０のガイドポスト５５とは別のイーサネットコネクタを単独で嵌合することができる。
また、コネクタ１０のコネクタ部１１にＵＳＢコネクタを嵌合し、一対の第２コンタクト２１が配置された一対のガイドポスト用凹部１４の一方又は双方にイーサネットコネクタをＵＳＢコネクタと同時に嵌合することができる。
【００３８】
（第２実施形態）
次に、本発明の第２実施形態に係るコネクタ及びコネクタ組立体について図１３乃至図２３を参照して説明する。
図１３には、本発明の第２実施形態に係るコネクタ組立体１が示されており、このコネクタ組立体１は、第１実施形態１に係るコネクタ組立体１と同様に、コネクタ１００と、コネクタ１００に嵌合する相手コネクタ１５０とからなる。
【００３９】
ここで、コネクタ１００は、図１５及び図１７に示すように、第１実施形態１に係るコネクタ組立体１と同様に、コネクタ部１１１と、一対のガイドポスト用凹部１１４、１１４’とを備えている。
コネクタ部１１１は、図１５及び図１７に示すように、コネクタ部１１と同様に、ハウジング１１２と、ハウジング１１２に取り付けられる複数の第１コンタクト１２０とを備えている。
【００４０】
ハウジング１１２は、図１４乃至図１８に示すように、上下方向、左右方向及び前後方向に延びる略矩形状の第１ハウジング部１１２ａと、第１ハウジング部１１２ａの左右方向中央部に取り付けられる第２ハウジング部１１２ｂとを備えている。図１４には、下方向が「前」、上方向が「後」、左方向が「左」、右方向が「右」として示されている。図１５には、上方向が「上」、下方向が「下」として示されている。以下、左方向及び右方向を左右方向、前方向及び後方向を前後方向、上方向及び下方向を上下方向と総称して説明する。
【００４１】
第１ハウジング部１１２ａは、絶縁性の合成樹脂を成形することによって形成され、図１５及び図１７に示すように、左右方向に延びるとともに前後方向に貫通する貫通孔１３を有する。
また、第２ハウジング部１１２ｂは、図１５及び図１７に示すように、第１ハウジング部１１２ａの貫通孔１１３の左右方向中央部に取り付けられる。第２ハウジング部１１２ｂには、図１５及び図１７に示すように、貫通孔１１３に入り込む略矩形状平板部から前方向に突出する嵌合板部１１２ｃが設けられている。嵌合板部１１２ｃは、左右方向に細長く延びる平板状に形成されている。第２ハウジング部１１２ｂは、絶縁性の合成樹脂を成形することによって形成される。
【００４２】
また、複数の第１コンタクト１２０は、図１７に示すように、嵌合板部１１２ｃの上面に１列状に取り付けられるとともに、嵌合板部１１２ｃの下面にも１列状に取り付けられる。
そして、配列された第１コンタクト１２０の極数及び種類は、第１実施形態に係るコンタクト２０の種類と同一であるため、その説明は省略する。
【００４３】
ここで、嵌合板部１１２ｃの上面に取り付けられた各第１コンタクト１２０は、第２ハウジング部１１２ｂに固定される固定部１２０ａと、固定部１２０ａから前方に延び、嵌合板部１１２ｃの上面に配列される接触部１２０ｂとを備えている。また、当該各第１コンタクト１２０は、固定部１２０ａから後方に延び、回路基板（図示せず）に接続される基板接続部１２０ｃを備えている。
【００４４】
また、嵌合板部１１２ｃの下面に取り付けられた各第１コンタクト１２０は、嵌合板部１１２ｃの上面に取り付けられた各コンタクト１２０と同様に、固定部１２０ａ、接触部１２０ｂ、及び基板接続部１２０ｃを備える。接触部１２０ｂは、上側のコンタクト１２０の接触部１２０ｂと異なり、嵌合板部１２ｃの下面に配列される。
そして、上側及び下側の各第１コンタクト１２０は、導電性金属板を打抜き及び曲げ加工することによって形成される。各第１コンタクト１２０の接触部１２０ｂには、相手コネクタ１５０の後述する相手側第１コンタクト１６０の接触部１６０ｂが接触する。
【００４５】
また、図１７に示すように、複数の第１コンタクト１２０を取り付けた第２ハウジング部１１２ｂの周囲を覆う金属製の第１シェル１１５が、第１ハウジング部１１２ａに固定される。この第１シェル１１５は、第１ハウジング部１１２ａの貫通孔１１３に沿って第１ハウジング部１１２ａの後面から前面まで延びている。第１シェル１１５内に、相手コネクタ１５０の後述する嵌合部（シェル１５３）が前方から入り込み、第１シェル１１５はシェル１５３の周囲に接触する。
【００４６】
また、第１ハウジング部１１２ａには、金属製の第２シェル１３０が取り付けられる。この第２シェル１３０は、第２シェル３０と同様に、頂板部１３０ａと、前板部１３０ｂと、一対の側板部１３０ｃと、後板部１３０ｄとを備えている。
第２シェル１３０の前板部１３０ｂには、図１５に示すように、第２シェル３０と同様に、第１シェル１１５と対応する位置に形成された相手コネクタ挿入用開口１３０ｅが設けられている。相手コネクタ挿入用開口１３０ｅには、相手コネクタ１５０の後述するシェル１５３が挿通可能となっている。
【００４７】
第２シェル１３０の各側板部１３０ｃには、第２シェル３０と同様に、複数の基板固定部１３１が設けられている。
次に、一対のガイドポスト用凹部１１４、１１４’は、一対のガイドポスト用凹部１４と同様に、コネクタ部１１１の両外側に配置される。具体的に述べると、一対のガイドポスト用凹部１１４、１１４’は、図１５に示すように、第１ハウジング部１１２ａの、複数のコンタクト１２０が取り付けられた嵌合板部１１２ｃに対して左右方向両外側の位置に形成される。各ガイドポスト用凹部１１４、１１４’は、図１８に示すように、第１ハウジング部１１２ａの前面から後方に向けて凹むように形成される。各ガイドポスト用凹部１１４、１１４’は、断面形状が略四角形状に形成されている。これら一対のガイドポスト用凹部１１４、１１４’には、相手コネクタ１５０とコネクタ１００とを嵌合する際に、相手コネクタ１５０の後述する一対のガイドポスト１５５、１５５’が受容され、一対のガイドポスト１５５、１５５’と協働して両コネクタ１００、１５０を案内する。そして、第２シェル１３０の前板部１３０ｂには、これら一対のガイドポスト用凹部１１４、１１４’に対応する位置に、一対のガイドポスト挿入用開口１３０ｆが形成されている。
【００４８】
そして、一対のガイドポスト用凹部１１４、１１４’のうち右側のガイドポスト用凹部１１４’には、その右上肩部にキーイング用凹部１１４ａが形成されている。
また、右側のガイドポスト用凹部１１４’には、相手コネクタ１５０の後述する相手側第２コンタクト１６１が接触する複数の第２コンタクト１２１が配置されている。複数の第２コンタクト１２１を右側のガイドポスト用凹部１１４’のみに配置する点で、双方のガイドポスト用凹部１４に複数の第２コンタクト２１を配置する第１実施形態と異なっている。
【００４９】
右側のガイドポスト用凹部１１４’には、図１５及び図１６に示すように、ガイドポスト用凹部１１４’の上面及び下面に沿ってそれぞれ６極の第２コンタクト１２１が配置されている。このガイドポスト用凹部１１４’には、第２コンタクト１２１以外のコンタクトは配置されていない。
ガイドポスト用凹部１１４’の上面に配置される各第２コンタクト１２１は、第１ハウジング部１１２ａの上側のコンタクト用貫通孔１１２ｄに圧入固定される固定部１２１ａを備えている。また、当該第２コンタクト１２１は、固定部１２１ａから前方にガイドポスト用凹部１１４’の上面にほぼ沿って延びる接触部１２１ｂを備えている。また、当該第２コンタクト１２１は、固定部１２１ａから後方に一旦延び、垂直下方に延びる基板接続部１２１ｃを備えている。各第２コンタクト１２１は、導電性金属板を打抜き及び曲げ加工することによって形成される。
【００５０】
一方、ガイドポスト用凹部１１４’の下面に配置される各第２コンタクト１２１は、図１８に示すように、第１ハウジング部１１２ａの下側のコンタクト用貫通孔１１２ｄに圧入固定される固定部１２１ａを備えている。また、当該第２コンタクト１２１は、固定部１２１ａから前方にガイドポスト用凹部１１４’の下面にほぼ沿って延びる接触部１２１ｂを備えている。また、当該第２コンタクト１２１は、固定部１２１ａから垂直上方に延びた後一旦後方に延び、更に、垂直下方に延びる基板接続部１２１ｃを備えている。各第２コンタクト１２１は、導電性金属板を打抜き及び曲げ加工することによって形成される。上側の第２コンタクト１２１と下側の第２コンタクト１２１とは、図１５に示すように、上下に置いて整列する位置に配置される。
【００５１】
そして、上側の各第２コンタクト１２１の接触部１２１ｂには、相手コネクタ１５０の後述する上側の相手側第２コンタクト１６１の接触部１６１ｂが接触する。また、下側の各第２コンタクト１２１の接触部１２１ｂには、相手コネクタ１５０の下側の相手側第２コンタクト１６１の接触部１６１ｂが接触する。
また、上側及び下側の各第２コンタクト１２１の基板接続部１２１ｃは、図１８に示すように、タインプレート１２２によって整列されて図示しない回路基板に接続される。
【００５２】
一方、コネクタ１００に嵌合する相手コネクタ１５０は、図１９、図２０及び図２２に示すように、コネクタ部１１１に嵌合する相手コネクタ部１５１と、一対のガイドポスト１５５、１５５’とを備えている。
相手コネクタ部１５１は、図２０及び図２２に示すように、相手ハウジング１５２と、相手ハウジング１５２に取り付けられる複数の相手側第１コンタクト１６０とを備えている。
【００５３】
相手ハウジング１５２は、図１９乃至図２３に示すように、上下方向、左右方向及び前後方向に延びる略矩形状の第１相手ハウジング部１５２ａと、第１相手ハウジング部１５２ａの左右方向中央部に取り付けられる第２相手ハウジング部１５２ｂとを備えている。図１９には、下方向が「前」、上方向が「後」、左方向が「左」、右方向が「右」として示されている。図２０には、上方向が「上」、下方向が「下」として示されている。以下、左方向及び右方向を左右方向、前方向及び後方向を前後方向、上方向及び下方向を上下方向と総称して説明する。
【００５４】
第１相手ハウジング部１５２ａは、絶縁性の合成樹脂を成形することによって形成され、図２２に示すように、左右方向中央部に前後方向に貫通する矩形状の貫通孔１５２ｃを有する。第１相手ハウジング部１５２ａは、図１９乃至図２３に示すように、金属製のシェル１７０によって覆われる。
また、第２相手ハウジング部１５２ｂは、図２０及び図２２に示すように、左右方向に長いほぼ矩形状に形成され、第１相手ハウジング部１５２ａの貫通孔１５２ｃに第１相手ハウジング部１５２ａの前面から突出するように取り付けられる。第２相手ハウジング部１５２ｂは、絶縁性の合成樹脂を成形することによって形成される。
【００５５】
また、複数の相手側第１コンタクト１６０は、図２０及び図２２に示すように、第２相手ハウジング部１５２ｂの上部に１列状に取り付けられるとともに、第２相手ハウジング部１５２ｂの下部にも１列状に取り付けられる。なお、第２相手ハウジング部１５２ｂの上部及び下部のそれぞれには、コネクタ１００側に設けられた接地用シェル１１６に接触する複数の接地用コンタクト１６２も固定されている。
【００５６】
ここで、第２相手ハウジング部１５２ｂの上部及び下部にそれぞれ取り付けられた複数の相手側第１コンタクト１６０の極数及び種類は、第１実施形態に係る相手コネクタ５０の相手側第１コンタクト６０と同様である。そして、上側及び下側の各相手側第１コンタクト１６０は、図２２に示すように、相手側第１コンタクト６０と同様に、固定部１６０ａと、接触部１６０ｂと、基板接続部１６０ｃを備えている。
【００５７】
また、図２２に示すように、第１実施形態に係る相手コネクタ５０と同様に、第１相手ハウジング部１５２ａの前面から突出する第２相手ハウジング部１５２ｂ、接地用コンタクト１６２及び相手側コンタクト１６０の周囲を覆う金属製のシェル１５３が第１相手ハウジング部１５２ａに固定される。そして、シェル１５３の内部には、前方が開口した嵌合板部受容凹部１５４が形成される。
【００５８】
次に、一対のガイドポスト１５５、１５５’は、第１実施形態に係る相手コネクタ５０と同様に、相手コネクタ部１５１の両外側に配置される。具体的に述べると、一対のガイドポスト１５５、１５５’は、図１９及び図２０に示すように、第１相手ハウジング部１５２ａの、複数の相手側第１コンタクト１６０が取り付けられた第２相手ハウジング部１５２ｂに対して左右方向両外側の位置に配置される。各ガイドポスト１５５、１５５’は、第１相手ハウジング部１５２ａの前面からシェル１７０を貫通して前方に突出し、断面形状が各ガイドポスト用凹部１１４、１１４’の断面形状と相補的な形状を有する突出部材である。各ガイドポスト１５５、１５５’は、相手コネクタ部１５１より前後方向に長い。
【００５９】
ここで、一対のガイドポスト用凹部１１４、１１４’のうち右側のガイドポスト用凹部１１４’には、その右上肩部にキーイング用凹部１１４ａが形成されている。このため、図１９及び図２０に示すように、左側のガイドポスト１５５’には、キーイング用凹部１１４ａに対応してキーイング部１５５ａが形成されている。
各ガイドポスト１５５、１５５’は、第１相手ハウジング部１５２ａと一体に形成される。これら一対のガイドポスト１５５、１５５’は、相手コネクタ１５０とコネクタ１００とを嵌合する際に、コネクタ１００の一対のガイドポスト用凹部１１４、１１４’内に沿うように受容され、一対のガイドポスト用凹部１１４、１１４’と協働して両コネクタ１００、１５０を案内する。
【００６０】
ここで、一対のガイドポスト１５５、１５５’のうち左側のガイドポスト１５５’のみに、第１実施形態に係る相手コネクタ５０と異なり、コネクタ１００の第２コンタクト１２１が接触する複数の相手側第２コンタクト１６１が配置されている。具体的に述べると、左側のガイドポスト１５５’の上面には、コネクタ１００の右側のガイドポスト用凹部１１４’の上面に配置された６極の第２コンタクト１２１に対応して、６極の相手側第２コンタクト１６１が配置されている。また、左側のガイドポスト１５５’の下面にも、右側のガイドポスト用凹部１１４’の下面に配置された６極の第２コンタクト１２１に対応して、６極の相手側第２コンタクト１６１が配置されている。
【００６１】
ここで、上側及び下側の各相手側第２コンタクト１６１は、図２３に示すように、第１相手ハウジング部１５２ａのコンタクト用貫通孔１５５ｂに圧入固定される固定部１６１ａを備えている。また、各相手側第２コンタクト１６１は、固定部１６１ａから前方にガイドポスト１５５’の上面あるいは下面に沿って延びる接触部１６１ｂを備えている。左側のガイドポスト１５５’の上面及び下面には、接触部１６１ｂの下方又は上方への変位を許容する前後方向に延びる溝１５５ｃが形成されている。また、各相手側第２コンタクト１６１は、固定部１６１ａから後方に延びる基板接続部１６１ｃを備えている。各相手側第２コンタクト１６１は、導電性金属板を打抜き及び曲げ加工することによって形成される。各相手側第２コンタクト１６１の接触部１６１ｂには、コネクタ１００の第２コンタクト１２１の接触部１２１ｂが接触する。また、各相手側第２コンタクト１６１の基板接続部１６１ｃは、タインプレート１６３によって整列されて、図示しない回路基板に接続される。
【００６２】
なお、コネクタ１００のコネクタ部１１１には、相手コネクタ１５０の相手コネクタ部１５１のみならず、第１実施形態に係るコネクタ１０と同様に、ＵＳＢコネクタ（図示せず）が単独で嵌合可能となっている。
また、第２コンタクト１２１を備えたコネクタ１００の右側のガイドポスト用凹部１１４’には、相手コネクタ１５０の左側のガイドポスト１５５’のみならず、イーサネットコネクタ（図示せず）が単独で嵌合可能となっている。このイーサネットコネクタは、左側のガイドポスト１５５’と同形状のハウジング、及び第２コンタクト１２１に接触する相手側第２コンタクト６１と同一形状の複数（１２極）のイーサネット側コンタクトを少なくとも備えている。
【００６３】
次に、コネクタ１００及びコネクタ組立体１の作用、効果について説明する。
コネクタ１００に相手コネクタ１５０を嵌合する際に、相手コネクタ１５０側の一対のガイドポスト１５５、１５５’のそれぞれをガイドポスト用凹部１１４、１１４’内に挿入して案内しつつ相手コネクタ部１５１をコネクタ部１１１に嵌合する。
すると、相手コネクタ部１５１の嵌合部となるシェル１５３が、コネクタ部１１１の第１シェル１１５内に挿入され、シェル１５３が第１シェル１１５に接触する。このとき、シェル１５３の嵌合板部受容凹部１５４内にコネクタ部１１１の嵌合板部１１２ｃが挿入され、嵌合板部１１２ｃが相手コネクタ部１５１の上側及び下側の相手側第１コンタクト１６０の接触部１６０ｂ間に入り込む。これにより、嵌合板部１１２ｃの上面及び下面に設けられた複数の第１コンタクト１２０の接触部１２０ｂのそれぞれが、上側及び下側の相手側第１コンタクト１６０の接触部１６０ｂのそれぞれに接触する。これにより、コネクタ部１１１における第１コンタクト１２０と相手側第１コンタクト１６０による信号や電力の伝送（電気伝送）が可能となる。
【００６４】
一方、相手コネクタ１５０の一対のガイドポスト１５５、１５５’のそれぞれがコネクタ１００の一対のガイドポスト用凹部１１４、１１４’のそれぞれに挿入される。すると、左側のガイドポスト１５５’に配置された相手側第２コンタクト１６１の接触部１６１ｂが、コネクタ１００の右側のガイドポスト用凹部１１４’に配置された第２コンタクト１２１の接触部１２１ｂに接触する。これにより、コネクタ１００の右側のガイドポスト用凹部１１４’の第２コンタクト１２１と左側のガイドポスト１５５’の相手側第２コンタクト１６１とによる電気伝送を行うことができる。
【００６５】
従って、本実施形態に係るコネクタ１００及びコネクタ組立体１によれば、コネクタ部１１１における第１コンタクト１２０と相手側第１コンタクト１６０による電気伝送の他に、コネクタ１００の右側のガイドポスト用凹部１１４’の第２コンタクト１２１と相手コネクタ１５０の左側のガイドポスト１５５’の相手側第２コンタクト１６１とによる電気伝送を行うことができる。
【００６６】
また、コネクタ１００のコネクタ部１１１には、複数のコンタクト１２０に接触するＵＳＢ側コンタクトを備えたＵＳＢコネクタ（図示せず）が嵌合可能となっている。このため、コネクタ１００のコネクタ部１１１に、相手コネクタ１５０の相手コネクタ部１５１とは別のＵＳＢコネクタを単独で嵌合することができる。
更に、第２コンタクト１２１が配置された右側のガイドポスト用凹部１１４’には、第２コンタクト１２１に接触するイーサネット側コンタクトを備えたイーサネットコネクタ（図示せず）が嵌合可能となっている。このため、第２コンタクト１２１が配置された右側のガイドポスト用凹部１１４’に、相手コネクタ１５０のガイドポスト１５５’とは別のイーサネットコネクタを単独で嵌合することができる。
【００６７】
また、コネクタ１００のコネクタ部１１１にＵＳＢコネクタを嵌合し、第２コンタクト１２１が配置された右側のガイドポスト用凹部１１４’にイーサネットコネクタをＵＳＢコネクタと同時に嵌合することができる。この場合、イーサネットコネクタは、第１実施形態に係るコネクタ１０の一対のガイドポスト用凹部１４、１４に一対のイーサネットコネクタを嵌合する場合と異なり、ＵＳＢコネクタの片側にイーサネットコネクタが配置される。このため、ＵＳＢコネクタから導出されるケーブルがイーサネットコネクタの嵌合に邪魔になることはない。
【００６８】
以上、本発明の実施形態について説明してきたが、本発明はこれに限定されずに種々の変更、改良を行うことができる。
例えば、コネクタ１０における第１コンタクト２０の極数及び種類、第２コンタクト２１の極数、相手コネクタ５０における相手側第１コンタクト６０の極数及び種類、相手側第２信号用コンタクト６１の極数は、説明した例に限定されない。
【００６９】
また、コネクタ１００における第１コンタクト１２０の極数及び種類、第２コンタクト１２１の極数、相手コネクタ１５０における相手側第１コンタクト１６０の極数及び種類、相手側第２コンタクト１６１の極数は、説明した例に限定されない。
さらに、ＵＳＢコネクタの他にＩＥＥＥ１３９４等の他のタイプのＩ／Ｏコネクタであってもよい。
【符号の説明】
【００７０】
１  コネクタ組立体
１０、１００  コネクタ
１１、１１１  コネクタ部
１２、１１２  ハウジング
１４、１１４、１１４’  ガイドポスト用凹部
２０、１２０  第１コンタクト
２０Ｓ  信号用コンタクト
２０Ｐ  電源用コンタクト
２０Ｇ  ＧＮＤ用コンタクト
２１、１２１  第２コンタクト
５０、１５０  相手コネクタ
５１、１５１  相手コネクタ部
５５、１５５、１５５’  ガイドポスト
６０、１６０  相手側第１コンタクト
６１、１６１  相手側第２コンタクト
【図１】
2018006175.tif 000003
【図２】
2018006175.tif 000004
【図３】
2018006175.tif 000005
【図４】
2018006175.tif 000006
【図５】
2018006175.tif 000007
【図６】
2018006175.tif 000008
【図７】
2018006175.tif 000009
【図８】
2018006175.tif 000010
【図９】
2018006175.tif 000011
【図１０】
2018006175.tif 000012
【図１１】
2018006175.tif 000013
【図１２】
2018006175.tif 000014
【図１３】
2018006175.tif 000015
【図１４】
2018006175.tif 000016
【図１５】
2018006175.tif 000017
【図１６】
2018006175.tif 000018
【図１７】
2018006175.tif 000019
【図１８】
2018006175.tif 000020
【図１９】
2018006175.tif 000021
【図２０】
2018006175.tif 000022
【図２１】
2018006175.tif 000023
【図２２】
2018006175.tif 000024
【図２３】
2018006175.tif 000025